(57)【要約】【課題】安定化素子の追加が発熱の原因および省電力化の障害となっていた。【解決手段】スイッチング電源と、バックライトの点灯を示す信号を出力するマイコンと、上記バックライトの点灯を示す信号に従ってバックライトを点灯するバックライト点灯回路と、上記バックライトの点灯を示す信号に従ってオンとなることによって、上記スイッチング電源の起動より後のタイミングで上記スイッチング電源の出力電圧を上記バックライト点灯回路に供給するスイッチと、上記スイッチがオフであることによって上記スイッチング電源の出力電圧が不安定になることを防止する安定化素子とを備えるバックライト駆動回路において、上記バックライトの点灯を示す信号に従って、上記安定化素子の駆動を停止させる。【選択図】図２
2006337504.tif 000002
【特許請求の範囲】
【請求項１】
出力電圧の変動によって発光する発光ダイオードと当該発光ダイオードによって駆動するフォトトランジスタと当該フォトトランジスタのスイッチング動作に従って出力電圧を調整する出力電圧安定化回路を備えたスイッチング電源と、
バックライトの点灯を示す信号を出力するマイコンと、
上記バックライトの点灯を示す信号に従って液晶表示装置のバックライトを点灯するバックライト点灯回路と、
上記バックライトの点灯を示す信号に従ってオンとなることによって、上記スイッチング電源の起動より後のタイミングで上記スイッチング電源の出力電圧を上記バックライト点灯回路に供給するスイッチと、
上記スイッチがオフであることによって上記スイッチング電源の出力電圧が不安定になることを防止するプルダウン用抵抗素子とを備えた液晶ディスプレイにおいて、
上記スイッチは上記バックライトの点灯を示す信号によってオンになる第１のスイッチングトランジスタと当該第１のスイッチングトランジスタがオンになることによってオンになるとともに当該オンの状態で上記スイッチング電源とバックライト点灯回路とを導通させる第２のスイッチングトランジスタとを備え、
上記プルダウン用抵抗素子の接地を制御する第３のスイッチングトランジスタであって、上記第１のスイッチングトランジスタがオフであることによってオンになって上記プルダウン用抵抗素子を接地し、当該第１のスイッチングトランジスタがオンであることによってオフになって上記プルダウン用抵抗素子の接地を解除するトランジスタを備えることを特徴とする液晶ディスプレイ。
【請求項２】
スイッチング電源と、
バックライトの点灯を示す信号を出力するマイコンと、
上記バックライトの点灯を示す信号に従ってバックライトを点灯するバックライト点灯回路と、
上記バックライトの点灯を示す信号に従ってオンとなることによって、上記スイッチング電源の起動より後のタイミングで上記スイッチング電源の出力電圧を上記バックライト点灯回路に供給するスイッチと、
上記スイッチがオフであることによって上記スイッチング電源の出力電圧が不安定になることを防止する安定化素子とを備えるバックライト駆動回路において、
上記バックライトの点灯を示す信号に従って、上記安定化素子の駆動を停止させる安定化素子制御回路を備えることを特徴とするバックライト駆動回路。
【請求項３】
上記スイッチはリレーであり、上記安定化素子制御回路は上記バックライトの点灯を示す信号に従って上記リレーをオンさせるとともに上記安定化素子の導通をオフにするスイッチング回路であることを特徴とする上記請求項２に記載のバックライト駆動回路。
【請求項４】
上記スイッチはスイッチング素子であり、上記安定化素子制御回路は上記バックライトの点灯を示す信号に従って上記スイッチング素子をオンさせるとともに上記安定化素子の導通をオフにするスイッチング回路であることを特徴とする上記請求項２に記載のバックライト駆動回路。
【請求項５】
上記スイッチング電源は、その出力電圧の変動によって発光する発光ダイオードと当該発光ダイオードによって駆動するフォトトランジスタと当該フォトトランジスタのスイッチング動作に従って出力電圧を調整する出力電圧安定化回路を備えていることを特徴とする上気請求項２〜請求項４のいずれかに記載のバックライト駆動回路。
【請求項６】
スイッチング電源と、
バックライトの点灯を示す信号を出力するマイコンと、
上記バックライトの点灯を示す信号に従ってバックライトを点灯するバックライト点灯回路と、
上記バックライトの点灯を示す信号に従ってオンとなることによって、上記スイッチング電源の起動より後のタイミングで上記スイッチング電源の出力電圧を上記バックライト点灯回路に供給するスイッチと、
上記スイッチがオフであることによって上記スイッチング電源の出力電圧が不安定になることを防止する安定化素子とを備えるバックライト駆動回路の制御方法において、
上記バックライトの点灯を示す信号に従って、上記安定化素子の駆動を停止させることを特徴とするバックライト駆動回路の制御方法。
【発明の詳細な説明】
【技術分野】
【０００１】
本発明は、バックライトを点灯させる駆動回路に関する。
【背景技術】
【０００２】
液晶ディスプレイなどのバックライトを点灯させる駆動回路においては、スイッチング電源の出力電圧をインバータ等のバックライト点灯回路に供給している。この回路において、一般的には液晶ディスプレイの電源オン時および電源オフ時に画面が乱れることを防止するため、電源オンの１〜２秒後にバックライトを点灯させ、電源オフの１〜２秒前にバックライトを消灯する。このために、液晶ディスプレイ等のマイコンはバックライトの点灯と消灯とを示す信号を出力するように構成され、上記スイッチング電源から上記バックライト点灯回路への電力供給はスイッチによって制御できるように構成されている。例えば、上記バックライトの点灯を示す信号は、電源オンの１〜２秒後に出力されるようになっており、この信号に応じて上記スイッチをオンにすることで、スイッチング電源からバックライト点灯回路への電力供給タイミングを制御している。
【０００３】
尚、電源投入時のバックライト点灯を安定化させるため、以下のような技術が知られている。
即ち、特開昭６４−３２７７７号公報（特許文献１）には、バックライト装置への電力投入開始時に、バックライト点灯回路への投入電力を高くする構成が開示されている。
また、特開平７−１３１２８号公報（特許文献２）には、バックライト用蛍光管の管電流を制御することによって画面輝度の立ち上がりを改善する構成が開示されている。
さらに、特開２００１−１６９２７３号公報（特許文献３）には、起動時に蛍光ランプが十分な輝度で発光するように、蛍光ランプに流れる電流地を制御する構成が開示されている。
【特許文献１】特開昭６４−３２７７７号公報
【特許文献２】特開平７−１３１２８号公報
【特許文献３】特開２００１−１６９２７３号公報
【発明の開示】
【発明が解決しようとする課題】
【０００４】
上述のように、スイッチング電源からバックライト点灯回路への電力供給タイミングをスイッチによって制御する回路においては、このスイッチがオフの間にスイッチング電源から出力される電圧が変動することを防止するため、安定化素子（プルダウン用抵抗素子）を使用している。例えば、スイッチング電源における電圧の出力端子とグラウンドとの間に所定の抵抗素子を介在させる。しかし、このような抵抗素子を介在させると、スイッチがオンになった後にも抵抗素子に電流が流れ、発熱の原因になるし省電力化の障害となる。
また、上述の特許文献１〜３においては、電力投入時に電力を高くするなど、複雑な制御が必要であり、簡易な構成によって初期の画面安定を図ることができない。
【０００５】
本発明は、上記課題にかんがみてなされたもので、簡易な構成によって電源投入時のスイッチング電源の出力を安定化させるとともに、発熱を防止し、省電力化を図ることが可能な液晶ディスプレイ、バックライト駆動回路およびバックライト駆動回路の制御方法を提供することを目的とする。
【課題を解決するための手段】
【０００６】
上記課題を解決するために請求項１に記載の発明は、出力電圧の変動によって発光する発光ダイオードと当該発光ダイオードによって駆動するフォトトランジスタと当該フォトトランジスタのスイッチング動作に従って出力電圧を調整する出力電圧安定化回路を備えたスイッチング電源と、バックライトの点灯を示す信号を出力するマイコンと、上記バックライトの点灯を示す信号に従って液晶表示装置のバックライトを点灯するバックライト点灯回路と、上記バックライトの点灯を示す信号に従ってオンとなることによって、上記スイッチング電源の起動より後のタイミングで上記スイッチング電源の出力電圧を上記バックライト点灯回路に供給するスイッチと、上記スイッチがオフであることによって上記スイッチング電源の出力電圧が不安定になることを防止するプルダウン用抵抗素子とを備えた液晶ディスプレイにおいて、上記スイッチは上記バックライトの点灯を示す信号によってオンになる第１のスイッチングトランジスタと当該第１のスイッチングトランジスタがオンになることによってオンになるとともに当該オンの状態で上記スイッチング電源とバックライト点灯回路とを導通させる第２のスイッチングトランジスタとを備え、上記プルダウン用抵抗素子の接地を制御する第３のスイッチングトランジスタであって、上記第１のスイッチングトランジスタがオフであることによってオンになって上記プルダウン用抵抗素子を接地し、当該第１のスイッチングトランジスタがオンであることによってオフになって上記プルダウン用抵抗素子の接地を解除するトランジスタを備える構成としている。
【０００７】
上記のように構成した請求項１に記載の発明によれば、液晶ディスプレイが備えるスイッチング電源に対して電力を供給した後、所定の時間が経過してからバックライトの点灯を示す信号をマイコンから出力することによってスイッチをオンにしてスイッチング電源とバックライト点灯回路との導通を確保し、バックライトを点灯させる構成において上記所定の時間のみにプルダウン用抵抗素子を有効にすることができる。すなわち、第１〜第３のスイッチングトランジスタによって、スイッチング電源とバックライト点灯回路との導通を制御しながら、両者の導通が確保されているときのみプルダウン用抵抗素子を接地させる。この結果、簡易な構成によって電源投入時のスイッチング電源の出力を安定化させるとともに、発熱を防止し、省電力化を図ることができる。むろん、プルダウン用抵抗素子の接地は、スイッチングトランジスタを介した接地を含む
【０００８】
請求項２に記載の発明は、スイッチング電源と、バックライトの点灯を示す信号を出力するマイコンと、上記バックライトの点灯を示す信号に従ってバックライトを点灯するバックライト点灯回路と、上記バックライトの点灯を示す信号に従ってオンとなることによって、上記スイッチング電源の起動より後のタイミングで上記スイッチング電源の出力電圧を上記バックライト点灯回路に供給するスイッチと、上記スイッチがオフであることによって上記スイッチング電源の出力電圧が不安定になることを防止する安定化素子とを備えるバックライト駆動回路において、上記バックライトの点灯を示す信号に従って、上記安定化素子の駆動を停止させる安定化素子制御回路を備える構成としている。
【０００９】
上記のように構成した請求項２に記載の発明によれば、バックライトの点灯を示す信号に従って安定化素子の駆動を停止させるため、バックライトを点灯回路にスイッチング電源の出力電圧を供給する以前では安定化素子を有効に機能させ、当該出力電圧の供給後には安定化素子の駆動を停止することができる。従って、バックライトが点灯する以前に安定化が必要なときのみ安定化素子を有効にすることができ、簡易な構成によって電源投入時のスイッチング電源の出力を安定化させるとともに、発熱を防止し、省電力化を図ることができる。
【００１０】
請求項３に記載の発明では、上記スイッチはリレーであり、上記安定化素子制御回路は上記バックライトの点灯を示す信号に従って上記リレーをオンさせるとともに上記安定化素子の導通をオフにするスイッチング回路である構成としている。
上記のように構成した請求項３に記載の発明によれば、簡易な構成によってスイッチのオンオフを制御することができ、低コスト化を図ることができる。
【００１１】
請求項４に記載の発明では、上記スイッチはスイッチング素子であり、上記安定化素子制御回路は上記バックライトの点灯を示す信号に従って上記スイッチング素子をオンさせるとともに上記安定化素子の導通をオフにするスイッチング回路である構成としている。
上記のように構成した請求項４に記載の発明によれば、簡易な構成および微小な部品によってスイッチのオンオフを制御することができ、低コスト化および省スペース化を図ることができる。尚、上記スイッチング素子はスイッチングトランジスタ、スイッチング回路はスイッチングトランジスタの組み合わせによって構成することができる。
【００１２】
請求項５に記載の発明では、上記スイッチング電源は、その出力電圧の変動によって発光する発光ダイオードと当該発光ダイオードによって駆動するフォトトランジスタと当該フォトトランジスタのスイッチング動作に従って出力電圧を調整する出力電圧安定化回路を備えている構成としている。
上記のように構成した請求項５に記載の発明によれば、発光ダイオードとフォトトランジスタとを含むフォトカプラによってスイッチング電源の出力電圧を調整し、安定化を図る回路を備える構成において、この安定化が図られたとしても上記スイッチがオフ（オープン）であることによって出力電圧の安定化が不十分となる場合に、上記安定化素子によって出力電圧を安定化させることができる。さらに、この安定化素子を必要なときのみ動作させることで、簡易な構成によって電源投入時のスイッチング電源の出力を安定化させるとともに、発熱を防止し、省電力化を図ることができる。
【００１３】
以上に記載した液晶ディスプレイおよびバックライト駆動回路は、装置としてのみならず、方法としても提供し得る。そこで、請求項６に記載の発明は、スイッチング電源と、バックライトの点灯を示す信号を出力するマイコンと、上記バックライトの点灯を示す信号に従ってバックライトを点灯するバックライト点灯回路と、上記バックライトの点灯を示す信号に従ってオンとなることによって、上記スイッチング電源の起動より後のタイミングで上記スイッチング電源の出力電圧を上記バックライト点灯回路に供給するスイッチと、上記スイッチがオフであることによって上記スイッチング電源の出力電圧が不安定になることを防止する安定化素子とを備えるバックライト駆動回路の制御方法において、上記バックライトの点灯を示す信号に従って、上記安定化素子の駆動を停止させる構成としている。
上記のように構成した請求項６に記載の発明によれば、請求項１に記載の作用と同様の作用を得る方法を提供し得る。
【発明の効果】
【００１４】
請求項１に記載の発明によれば、バックライト点灯回路への電力を初期に遮断しておくことにより余分な回路を設けることなく電力投入初期の画面不安定を解消することができる構成において、電力の遮断に伴うスイッチング電源の不安定を安定化素子という簡易な構成によって解消し、また、必要に応じて安定化素子の駆動を停止することで、発熱を防止し、省電力化を図ることができる。
請求項２に記載の発明によれば、バックライト点灯回路への電力を初期に遮断しておくことにより余分な回路を設けることなく電力投入初期の画面不安定を解消することができる構成において、電力の遮断に伴うスイッチング電源の不安定を安定化素子という簡易な構成によって解消し、また、必要に応じて安定化素子の駆動を停止することで、発熱を防止し、省電力化を図ることができる。
【００１５】
請求項３に記載の発明によれば、低コスト化を図ることができる。
請求項４に記載の発明によれば、低コスト化および省スペース化を図ることができる。
請求項５に記載の発明によれば、フォトカプラによる安定化回路を含む構成において、さらなる出力電圧の安定化を図ることができる。
請求項６に記載の発明によれば、請求項１に記載の効果と同様の効果を得る方法を提供し得る。
【発明を実施するための最良の形態】
【００１６】
ここでは、下記の順序に従って本発明の実施の形態について説明する。
（１）液晶ディスプレイの概略構成：
（２）回路構成の詳細：
（３）他の実施形態：
【００１７】
（１）液晶ディスプレイの概略構成：
図１は、本発明を液晶ディスプレイに適用した場合の構成を説明するブロック図である。同図において、液晶ディスプレイ１０は、画面を表示するための液晶パネル１１と液晶パネル１１上に映像を出力し、図示しないスピーカーから音声を出力するためのＡ／Ｖ処理回路１２とを備えている。液晶パネル１１やＡ／Ｖ処理回路１２等はスイッチング電源２０からの電力供給を受けて駆動する。
【００１８】
スイッチング電源２０は、電源供給を受けるとともに所望の電圧を生成して出力する回路である。本実施形態において、スイッチング電源２０はマイコンを含み、後述のようにパルス幅制御を行うことによって出力電圧を安定化する仕組みを備えている。また、当該マイコンは、液晶パネル１１に含まれる図示しないバックライトを点灯するための信号（バックライトｓｗ）を出力する。
【００１９】
本実施形態において、上記スイッチング電源２０の出力端子は、スイッチ３０を介して液晶パネル１１内のバックライト点灯回路１１ａに接続されるようになっている。当該バックライト点灯回路１１ａは図示しないバックライトを点灯させるための回路であり、電力の供給を受けるとバックライトを点灯させる。スイッチ３０は、上記バックライトｓｗが出力されている間はオンとなり、当該バックライトｓｗが出力されていないときにはオフ（オープン）となる。
【００２０】
このバックライトｓｗは、液晶ディスプレイ１０の電源がオンとされた後、所定の時間経過後（例えば、１〜２秒後）に出力される。また、液晶ディスプレイ１０の電源をオフにする指示がなされてから電源がオフになる前（例えば、１〜２秒前）にバックライトｓｗの出力が停止する。従って、本実施形態においては、液晶ディスプレイ１０の電源がオンとされた後、所定の時間が経過した後にスイッチ３０がオンとなり、バックライトが点灯する。この結果、電源がオンとなった直後にバックライトが点灯することを防止し、液晶パネル１１の画面に不安定な映像を出力することを防止することができる。
【００２１】
スイッチング電源２０は、上記パルス幅制御によって出力電圧の安定化を図っているが、この安定化は、スイッチング電源２０の出力端子がバックライト点灯回路１１ａに接続された状態で適切な安定化が図られるように設定されている。従って、上記スイッチ３０がオープンとなっている場合には、出力電圧が変動し易い。
【００２２】
そこで、本実施形態においては、この変動を抑えてスイッチ３０がオープンになっている場合であっても電圧を安定化させるため、安定化素子４０を備えている。この安定化素子４０は、上記スイッチ３０の前段において、スイッチング電源２０の出力端子に対して接続されているため、この安定化素子に対する電力供給を積極的に制御しなければ、常時駆動されることになる。
【００２３】
そこで、本実施形態では、安定化素子４０を適切なタイミングのみで有効にするため、安定化素子制御回路５００を備えている。すなわち、安定化素子制御回路５００は、上記バックライトｓｗの供給を受け、当該バックライトｓｗが出力されている間は安定化素子４０の駆動を停止させ、当該バックライトｓｗが出力されていないときには安定化素子４０を駆動させる。この結果、液晶ディスプレイ１０の電源がオンとされた後、所定の時間が経過するまでは安定化素子４０を有効に機能させ、所定の時間が経過した後には安定化素子４０の動作を停止させる。従って、必要なときのみに安定化素子４０による電力消費がなされ、発熱を防止し、省電力化を図ることができる。
【００２４】
（２）回路構成の詳細：
図２は、上記スイッチ３０と安定化素子４０と安定化素子制御回路５０の詳細な構成例およびスイッチング電源２０の一例を示している。図２に示す例において、スイッチング電源２０は、整流を行う整流部２１と所望の電圧を取得するための変圧部２２とを備えており、交流電圧源からの電力を所望の電圧に変換する。変換された電圧は出力端子Ｔから出力される。また、電圧制御部２４は図示しないマイコンを備えており、当該マイコンはスイッチング電源２０の駆動開始（電源のオン）後、所定時間経過後にバックライトｓｗを出力する。
【００２５】
スイッチ３０は、リレーによってスイッチ３０ｃを開閉するリレースイッチ３０ａとバックライトｓｗに従ってオンあるいはオフとなるスイッチングトランジスタ３０ｂとを備えている。バックライトｓｗが出力されている（ハイレベルになっている）ときには、上記スイッチングトランジスタ３０ｂがオンとなり、リレースイッチ３０ａを駆動するために十分な電流がリレースイッチ３０ａに供給される。この結果、スイッチ３０ｃのオープン状態を解除し、スイッチ３０ｃをオンにすることになる。スイッチ３０ｃがオンになると、スイッチング電源２０からの出力がバックライト点灯回路１１ａに供給されてバックライトが点灯する。
【００２６】
本実施形態において、上記スイッチング電源２０の出力端子Ｔには、電圧変動をフィードバックするための回路２３が接続されており、この回路２３は出力端子Ｔの電圧変動に基づいて発光する発光ダイオード２３ａと発光ダイオード２３ａの発光に従って導通するフォトトランジスタ２３ｂとを含むフォトカプラを備えている。当該フォトカプラによる信号は電圧制御部２４に入力され、当該電圧制御部２４はフォトカプラによる信号に基づいてパルス幅変調を行って、上記変圧部２２の電圧をフィードバック制御する。
【００２７】
すなわち、スイッチング電源２０は、出力端子Ｔの電圧を安定化させるための出力電圧安定化回路を備えている。しかし、この出力電圧安定化回路は、上記スイッチ３０ｃがオンとなり、スイッチング電源２０の出力端子Ｔとバックライト点灯回路１１ａとの導通が確保された状態で適正な安定化を図るように設定されている。従って、スイッチ３０ｃがオープンとなっているときに適正な安定化を図るため、本実施形態においては、安定化素子４０を構成している。当該安定化素子４０は、スイッチ３０ｃがオープンであるときにスイッチング電源２０の出力を安定化するように抵抗値が設定された抵抗素子である。従って、スイッチ３０ｃがオープンであっても、このときに安定化素子４０を介してスイッチング電源２０の出力端子Ｔとグラウンドとの導通が確保されれば、電圧を安定化させることができる。
【００２８】
図２に示す例では、さらに、必要なときのみにこの安定化を行うべく安定化素子制御回路５０を備えている。定化素子制御回路５０は、上記スイッチングトランジスタ３０ｂとスイッチングトランジスタ５０ａとスイッチングトランジスタ５０ａに対するバイアスを調整するためのツェナーダイオード５０ｂと抵抗素子５０ｃ，５０ｄとを備えている。上記スイッチングトランジスタ３０ｂは、上記バックライトｓｗによってオンとオフとが切り替わり、スイッチング電源２０が駆動しており、かつ当該スイッチングトランジスタ３０ｂがオフのときには、上記ツェナーダイオード５０ｂと抵抗素子５０ｃ，５０ｄとによって適切なバイアス電圧が印加されてスイッチングトランジスタ５０ａがオンとなる。
【００２９】
従って、電源オンの後、バックライトｓｗが出力されるまでの間においては、スイッチングトランジスタ５０ａがオンとなり、上記スイッチング電源２０の出力端子Ｔとグラウンドとが上記安定化素子４０とスイッチングトランジスタ５０ａとを介して導通される。この結果、安定化素子４０による出力電圧の安定化がなされる。
【００３０】
一方、スイッチング電源２０が駆動しており、かつ当該スイッチングトランジスタ３０ｂがオンのときには、上記ツェナーダイオード５０ｂの作用によってスイッチングトランジスタ５０ａに適正なバイアス電圧が印加されず、当該スイッチングトランジスタ５０ａがオフとなる。従って、電源オンの後、バックライトｓｗが出力されるとスイッチングトランジスタ５０ａがオフとなり、上記安定化素子４０に対する電力供給は停止される。このようにスイッチングトランジスタ３０ｂがオンである状態では、上記スイッチ３０ｃがオンとなり、バックライトが点灯していることになる。従って、一旦バックライトが点灯すると安定化素子４０の動作が停止し、安定化素子４０による発熱を防止するとともに省電力化を図ることができる。
【００３１】
尚、本発明によれば、待機時の電力消費を抑えることもできる。すなわち、上記電源オンは待機電圧による液晶ディスプレイ１０の駆動を切り替えて画面表示等を行うことに相当する。上述のように安定化素子４０はスイッチング電源２０が駆動され、スイッチングトランジスタ５０ａに適切なバイアス電圧が印加されることによって駆動されるため、スイッチング電源２０が駆動していない待機電圧では安定化素子４０は機能しない。従って、本発明によれば、待機時に安定化素子４０によって電力を消費することを防止し、省電力化を図っていることになる。
【００３２】
（３）他の実施形態：
上記実施形態は一例であり、本発明においては、電源オンの後、スイッチング電源からバックライト点灯回路への電力供給を開始するまでの間のみに安定化素子を駆動することができる限りにおいて種々の構成を採用可能である。例えば、スイッチング電源からバックライト点灯回路への電力供給を制御するためのスイッチをトランジスタによって構成してもよい。
【００３３】
図３は、このような構成例を示す図である。同図において、上記図２と同じ構成を持つ部分については図２と同じ符号によって示している。すなわち、スイッチング電源２０と安定化素子４０とバックライト点灯回路１１ａとは図２と同様の構成である。図３に示す例では、図２におけるスイッチ３０と安定化素子制御回路５００の代わりにスイッチ３００と安定化素子制御回路５０００とを備えている。
【００３４】
スイッチ３００は、スイッチングトランジスタ３００ｃとスイッチングトランジスタ３００ｂとを備え、スイッチングトランジスタ３００ｂがバックライトｓｗによってオンとなることに応じてスイッチングトランジスタ３００ｃがオンとなる。この結果、スイッチング電源２０からの出力がバックライト点灯回路１１ａに供給されてバックライトが点灯する。スイッチングトランジスタ３００ｂがオンの状態では、スイッチングトランジスタ５００ｄに適切なバイアス電圧が印加されず、当該スイッチングトランジスタ５００ｄがオフとなる。従って、安定化素子４０は機能しない。
【００３５】
一方、スイッチングトランジスタ３００ｂがオフの状態ではスイッチングトランジスタ３００ｃがオフとなる。このとき、抵抗素子３００ａとツェナーダイオード５００ｂと抵抗素子５００ｃ，５００ｄによってスイッチングトランジスタ５００ｄに適切なバイアス電圧が印加され、当該スイッチングトランジスタ５００ｄがオンとなる。従って、安定化素子４０が機能してスイッチング電源２０の出力電圧を安定化させる。
【００３６】
以上のように、スイッチングトランジスタによって、電源オンの後、スイッチング電源からバックライト点灯回路への電力供給を開始するまでの間のみに安定化素子を駆動するように構成することもできる。尚、図３に示す構成においては、スイッチングトランジスタ３００ｂが上記請求項における第１のスイッチングトランジスタに相当し、スイッチングトランジスタ３００ｃが上記請求項における第２のスイッチングトランジスタに相当し、スイッチングトランジスタ５００ａが上記請求項における第３のスイッチングトランジスタに相当する。
【００３７】
尚、上記図２、図３に示す回路は本発明の機能を説明するための一例であり、むろん、適切なバイアスを確保するために抵抗素子を追加、調整したり、他の機能等を実現するため各種素子を追加することは可能である。また、上記スイッチングトランジスタ３０ｂはスイッチ３０と安定化素子制御回路５０とで兼用しているが、別個のスイッチングトランジスタに変更することも可能であり、種々の回路構成を採用可能である。
【図面の簡単な説明】
【００３８】
【図１】本発明の機能を説明するブロック図である。
【図２】本発明の第１実施形態を説明する回路図である。
【図３】本発明の第２実施形態を説明する回路図である。
【符号の説明】
【００３９】
１０…液晶ディスプレイ
１１…液晶パネル
１１ａ…バックライト点灯回路
１２…Ａ／Ｖ処理回路
２０…スイッチング電源
２１…整流部
２２…変圧部
２３ａ…発光ダイオード
２３ｂ…フォトトランジスタ
２４…電圧制御部
３０…スイッチ
３０ａ…リレースイッチ
３０ｂ…スイッチングトランジスタ
３０ｃ…スイッチ
４０…安定化素子
５０…安定化素子制御回路
５０ａ…スイッチングトランジスタ
５０ｂ…ツェナーダイオード
５０ｃ，５０ｄ…抵抗素子
【図１】
2006337504.tif 000003
【図２】
2006337504.tif 000004
【図３】
2006337504.tif 000005